(57)【要約】      （修正有）【課題】照射エリア全域について均等な光照射を行う。【解決手段】頭皮に向けて光を照射する発光ダイオード４と、頭皮に対してほぼ直交する軸の回りに回転する回転板２を備える。発光ダイオードは回転板上に複数設けられて、回転板と共に軸の回りに回転しつつ頭皮に向けて光を照射することにより、照射エリア内においてほぼ均等な光分布を得ることができる。発光ダイオードを間欠的な照射を行う制御装置６と発光ダイオードとの接続は、回転板２の外周面に設けた導電部１０，１０と、これら導電部に接触する一対の接触ばね１１，１１とからなるスリップリングを介して行っている。【選択図】図１
2014008085.tif 000002
【特許請求の範囲】
【請求項１】
頭皮に向けて光を照射する発光ダイオードを備えているとともに、頭皮に対してほぼ直交する軸の回りに回転する回転板を備えており、上記発光ダイオードは上記回転板上に複数設けられて、回転板と共に上記軸の回りに回転しつつ頭皮に向けて光を照射するものであることを特徴とする光育毛装置。
【請求項２】
上記複数の発光ダイオードは、上記軸からの距離が異なるところに配置されていることを特徴とする請求項１記載の光育毛装置。
【請求項３】
発光ダイオードはパルス照射を行うものであることを特徴とする請求項１または２記載の光育毛装置。
【発明の詳細な説明】
【技術分野】
【０００１】
本発明は、頭皮に光を照射することで育毛を図る光育毛装置に関するものである。
【背景技術】
【０００２】
人体の頭皮に光を照射することで頭皮の生体組織を活発化させて育毛を補助するためのものとして、特許文献１に示されたものがある。これは左右の耳当て部を連結するフレームを備えたヘッドフォン型のもので、上記フレームに複数の発光ダイオードを頭皮側に向けて設けている。また、上記フレームは上記耳当て部を中心に前後に回動させることができるようにしている。
【先行技術文献】
【特許文献】
【０００３】
【特許文献１】特許第４２５７２９４号
【発明の概要】
【発明が解決しようとする課題】
【０００４】
しかし上記特許文献１に示されたものでは、フレームを動かすことで照射位置を変更することができるとはいえ、発光ダイオードの光放射の指向特性のために、発光ダイオードの直下と発光ダイオードの直下でないところとでは光の強さに大きな差があり、多数の発光ダイオードを密度を詰めて配置したところで、均等な光分布を得ることはできない。
【０００５】
本発明は上記問題に鑑みてなされたもので、照射エリア全域について均等な光照射を行うことができる光育毛装置を提供することを課題とする。
【課題を解決するための手段】
【０００６】
本発明にかかる光育毛装置は、頭皮に向けて光を照射する発光ダイオードを備えているとともに、頭皮に対してほぼ直交する軸の回りに回転する回転板を備えており、上記発光ダイオードは上記回転板上に複数設けられて、回転板と共に上記軸の回りに回転しつつ頭皮に向けて光を照射するものであることに特徴を有している
上記複数の発光ダイオードは、上記軸からの距離が異なるところに配置されていることが好ましい。
【０００７】
また、発光ダイオードはパルス照射を行うものであることが好ましい。
【発明の効果】
【０００８】
本発明によれば、複数の発光ダイオードを回転させつつ発光させるために、発光ダイオードの直下位置を変えながら光照射を行うことができ、光分布の均等化を図ることができる。
【図面の簡単な説明】
【０００９】
【図１】本発明の実施の形態の一例の断面図である。
【図２】同上の回転板を示すもので、(a)は平面図、(b)は側面図である。
【図３】同上の回転板と光分布との説明図である。
【図４】他例の断面図である。
【発明を実施するための形態】
【００１０】
以下本発明を図示の実施例に基づいて詳述すると、筒状のケーシング１内には回転板２を配置してある。モータ３によって回転軸２０を中心に回転する上記回転板２は、その表面に複数の発光ダイオード４を備えている。また、上記ケーシング１内には、電源５と制御装置６も収められており、制御装置６はスイッチ７がオンとされた時、上記モータ３によって回転板２を回転させるとともに、発光ダイオード４を発光させて、ケーシング１の一端面の光透過板８が配された照射面から光を外部に向けて照射する。発光ダイオード４としては、波長が１４５０ｎｍの近赤外光を出力するものが好ましいが、この波長に限定されるものではない。
【００１１】
モータ３によって回転板２を連続回転させる関係上、制御装置６と発光ダイオード４との接続は、回転板２の外周面に設けた導電部１０，１０と、これら導電部１０，１０に接触する一対の接触ばね１１，１１とからなるスリップリングを介して行っている。なお、モータ３による回転板２の回転を例えば３６０°以内の回転角で往復回動させてもよく、この場合は図４に示すようにリード線１２によって制御装置６と発光ダイオード４との接続を行ってもよい。
【００１２】
そして、この光育毛装置においては、上記光透過板８が配された照射面を頭皮に当てて、もしくは頭皮から少し離した状態において、回転板２を回転させつつ発光ダイオード４を発光させることで頭皮に光を照射する。ちなみに、直径５０ｍｍの回転板２の表面にφ５ｍｍの砲弾型（弾頭型）発光ダイオード４を３０個配置し、回転板２を回転させながら光照射を行うと、照射エリア内においてほぼ均等な光分布を得ることができる。
【００１３】
特に、回転板２の表面に配されて頭皮と対向する複数の発光ダイオード４を、図３に示すように、その回転中心（回転軸２０）からの距離が全て異なるところに位置するように回転板２上に配置するのが好ましい。つまり、各発光ダイオード４を回転板２上の異なる半径のところに位置させるのである。
【００１４】
この場合、回転板２が回転する時、各発光ダイオード４の直下で最も光強度が高くなるところが全く重ならないために、回転する複数の発光ダイオード４によって光が照射されるエリア内の光分布はさらに均等化されることになる。
【００１５】
また、スリップリングを構成する前述の導電部１０を、回転板２の全周に設けるのではなく、一部欠落させて、回転板２の一回転の間に発光ダイオード４に通電されずに発光ダイオード４がオフとなる状態が生じるようにすることで、発光ダイオード４が間欠的な照射を行うようにしたり、モータ３としてステッピングモータを用いると同時に、モータ３と発光ダイオード４とを制御装置６における同じ出力部に接続することで、モータ３の間欠回転と発光ダイオード４の間欠発光とを行うようにしてもよい。いずれにしても、近似的なパルス照射を得ることができるために、育毛効果の点で、より好ましい結果を得ることができる。
【００１６】
この光育毛装置は、そのケーシング１を手で持って頭皮に光を照射するもののほか、従来例で示した人体に装着されるヘッドフォン型のフレームにケーシング１を取り付けたものであってもよく、頭皮に光を照射する状態にケーシング１をどのように保つかについては何ら限定しない。
【符号の説明】
【００１７】
１  ケーシング
２  回転板
３  モータ
４  発光ダイオード
５  電源
６  制御装置
７  スイッチ
８  光透過板
【図１】
2014008085.tif 000003
【図２】
2014008085.tif 000004
【図３】
2014008085.tif 000005
【図４】
2014008085.tif 000006